(57)【要約】【課題】打設されたコンクリートに埋込んで蒸気養生の全過程に対する温度及び時間の履歴を記録すると共にその記録した情報をユーザー等に知らせることでコンクリート製品の品質管理を可能とする。【解決手段】カプセルの収納室と、その片側壁下部に形成されたホールと、その他の側壁に設けられた磁石とを備え、収納室にカプセルが収納された時に、カプセルを作動させると共に、養生されるコンクリートの片側に埋入される時に、カプセルの主要部品を保護する四角ボックス型のソケット１００と、ソケットの収納室に収納され前記ソケットの磁石によりスイッチがオンになって作動し、コンクリートへの埋入時にその内部の基板に設けられた制御部によってコンクリート養生温度を感知し、又はコンクリート養生時の光入射を感知してユーザーに知らせると共に各種情報を記録する四角ボックス型のカプセル２００とからなる。【選択図】      図９
2005003661.tif 000002
【特許請求の範囲】
【請求項１】
上部が開口された収納室が備えられ、その片側壁の下部にホールが形成され、その他の側壁に磁石が設けられており、前記収納室にカプセルが収納される時に前記カプセルを作動させると共に、養生されるコンクリートの片側に埋入される場合に前記カプセルの主要部品を保護する四角ボックス型のソケットと、
前記ソケットの収納室に収納され前記ソケットの磁石によりスイッチがオンになって作動し、養生するコンクリートの片側へ埋入された状態においてその内部の基板に設けられた制御部によってコンクリート養生温度を感知し、又はコンクリート養生時に光が入ってくることを感知してユーザーに知らせると共に、各種情報を記録する四角ボックス型のカプセルとからなることを特徴とするコンクリート製品の養生温度履歴記録装置。
【請求項２】
前記コンクリート製品の養生温度履歴記録装置は、
記録された各種情報をユーザーにディスプレイできるように通信端末機と連結可能としたことを特徴とする請求項１に記載のコンクリート製品の養生温度履歴記録装置。
【請求項３】
前記カプセルは、
前記カプセルの上部に設けられると共にソケットの収納室に収納される時に前記ソケットの磁石によりスイッチがオンになり制御部の制御によって多様な光をディスプレイする状態表示部と、
前記状態表示部の片側に設けられると共にコンクリートの養生の時、初期設定の時間間隔でコンクリートの養生温度を感知し、感知された温度を制御部に記録する温度センシング部と、
前記カプセルの片側の下部に設けられると共に養生の温度測定開始の後に一定時間の内にコンクリート内部に光が入るかどうかを感知する光感知センシング部と、
前記状態表示部の他側に設けられると共にコンクリートの養生の時、制御部に記録された各種情報をユーザーにディスプレイする通信端末機のポートと連結して前記通信端末機に情報を伝送する通信ポートと、
コンクリートの片側に埋入される場合、前記通信ポートをコンクリートから保護する保護ゴムキャップと、
第１固定部の収納室に着脱自在に収納すると共に前記保護ゴムキャップを保護する第１カバーと、
第２固定部の収納室に着脱自在に収納すると共に前記状態表示部と温度センシング部との背面に設けられてカプセルを保護する第２カバーと、
カプセルを容易に脱着移動させることができる取っ手と
からなることを特徴とする請求項１に記載のコンクリート製品の養生温度履歴記録装置。
【請求項４】
前記ソケットは、
カプセルを収納する収納室と、
前記カプセルが収納室に収納される時前記カプセルの内部に設けられた基板上のカプセル駆動スイッチをスイッチオンにして前記カプセルを作動させる磁石と、
ソケットの片側の外周面に設けられると共に前記カプセルの第１カバーを収納室に収納させて固定させる第１固定部と、
ソケットの他側の外周面に設けられると共に前記カプセルの第２カバーを収納室に収納して固定する第２固定部とからなることを特徴とする請求項１に記載のコンクリート製品の養生温度履歴記録装置。
【請求項５】
前記カプセルは内部に設けられた印刷回路基板の制御部によって動作し、前記印刷回路基板は、
ソケットの収納室にカプセルが収納されるとき、磁石によりスイッチがオンとされて制御部に動作電源を供給させるカプセル駆動スイッチと、
前記カプセル駆動スイッチのスイッチオンによってバッテリーから動作電源を供給されて印刷回路基板上の各種部品を制御すると共に前記各種部品から各種情報を記録する制御部と、
前記制御部から制御信号を印加されて多様な光をユーザーにディスプレイする状態表示部と、
前記制御部の制御信号によってコンクリートの養生の時に一定時間の間隔でコンクリートの養生の温度を感知し、感知された温度を制御部に伝送する温度センシング部と、
非同期に作動し、一定時間の単位に制御部をスリップモードから覚まして時間を維持させると共に動作電源を節約する発振器と、
前記制御部の制御信号を印加されて養生の温度測定開始の後に一定時間内にコンクリートの内部に光が入るかどうかを感知する光感知センシング部と、
前記制御部に記録された各種情報をユーザーにディスプレイする通信端末機のポートと連結して前記通信端末機に情報を伝送する通信ポートとからなることを特徴とする請求項１に記載のコンクリート製品の養生温度履歴記録装置。
【請求項６】
前記状態表示部は、
制御部の制御によって前記カプセルがソケットの収納室に収納される時赤色で発光することを特徴とする請求項３に記載のコンクリート製品の養生温度履歴記録装置。
【請求項７】
前記状態表示部は、
制御部の制御によって温度センシング部がコンクリートの養生の温度を測定する場合に緑色で発光することを特徴とする請求項３に記載のコンクリート製品の養生温度履歴記録装置。
【請求項８】
前記状態表示部は、
制御部の制御によってバッテリーの容量が足りない場合に赤色で点滅することを特徴とする請求項３に記載のコンクリート製品の養生温度履歴記録装置。
【請求項９】
前記制御部は、
温度測定開始の後に一定時間以内に前記光感知センシング部が光を感知すると、感知した時間以前の全データを削除することを特徴とする請求項５に記載のコンクリート製品の養生温度履歴記録装置。
【請求項１０】
前記制御部は、
光感知センシング部が一定時間の間、継続して光を感知すると、養生の意思がないものと見なしてプログラムを初期化することを特徴とする請求項５に記載のコンクリート製品の養生温度履歴記録装置。
【発明の詳細な説明】
【０００１】
【発明の属する技術分野】
本発明は、コンクリート製品の養生温度履歴記録装置に関するもので、特に、打設されたコンクリートに養生温度履歴記録装置を埋め込んで蒸気養生の全過程の温度及び時間の履歴を記録すると共に、その記録した情報をユーザーあるいは検査者に知らせることで、コンクリート製品の品質管理を可能とするコンクリート製品の養生温度履歴記録装置に関するものである。
【０００２】
【従来の技術】
一般に、コンクリートの養生とは、コンクリートをミキシングしてから硬化するまでの間に、適当な温度と湿気（水分）を与えて十分に硬化力が発揮できるようにしたり、コンクリートの強度が十分になるまで過度な衝撃や荷重が与えられないようにしたり、又は風雨、霜、太陽からコンクリートの露出面を保護することを意味する。
【０００３】
コンクリートの養生は普通養生、蒸気養生、オートクレーブ養生などで大きく区分でき、各養生に対する方法を概略的に観察する。
【０００４】
先ず、普通養生はコンクリートの強度不足、乾燥収縮による亀裂の防止、凍結防止などの目的で、特別に温度を上げずに枠に埋め込んだ後に１週間ほど水を撒水するか、濡れたかます、又は鋸屑などで覆ってコンクリートの表面が乾燥しないようにするものである。
【０００５】
蒸気養生はコンクリートをミキシングしてから経時の後に蒸気でコンクリートに温度と水分を加え早めに強度を与える方法で、道路用のコンクリート製品やフリーケスト製品などはこの方法で養生させることが多く、代表的な製品としてはコンクリートベンチフルム（ｆｌｕｍｅ）がある。
【０００６】
またオートクレーブ養生とは、高温高圧下で生成するセメント水化物のトベルモライト繊維状の結晶がコンクリートの圧縮強度を大きく向上できる方法である。
【０００７】
図１に示すように、工場で高温の蒸気などで促進養生して製作するコンクリート製品は、鉄筋及びワイヤーネット等からなる粗骨材及び細骨材を装着した成形モルド（鋳型）を準備し（ステップＳ１）、硬化しない緩いコンクリートを成形モルド中に埋め込んで振動又は遠心力で固めた後（ステップＳ２）、高温の蒸気養生室に移動して養生し（ステップＳ３）、養生済みのコンクリート製品を養生室から取り出して成形モルドを除去した後（ステップＳ４）、該コンクリート製品を野外に積載して保管する（ステップＳ５）。
【０００８】
例えば、図２のようなコンクリート製品のうち、ベンチフルム１０を製作するためには、図３のように成形モルド（鋳型）２０を形成する。また、硬化しない緩いコンクリートを打設し振動又は遠心力で固めた後、高温の蒸気養生室に移動して短期間に促進養生させる。その後、促進養生済みの製品は蒸気養生室から取り出して図２に示すように成形モルドを分離し、ベンチフルムを野外に運搬して露天積みする。特に成形モルド２０の分離時には、成形モルドフランジ２２を結合する螺旋などの結着手段を外す（例えば特許文献１参照）。
【０００９】
尚、前記促進養生時には図１０に示した点線（本発明で求める養生パターン）のように約４時間が経過するまで常温で保管し、初期水化反応の終了を待った後に蒸気養生室に移動させる。ここで、時間当たり養生室の温度上昇が２０℃以下となるように蒸気を吹き出して最高温度６５℃に至るようにする。この最高温度を約６時間持続させた後に、時間当たり２０℃以下の温度下降になるように蒸気を調節すれば、促進養生コンクリート製品（ベンチフルム）の品質が大きく向上して寿命が長くなる。
【００１０】
前記のように養生する場合、１周期当たり製品生産に約１６時間以上の養生時間を要するところ、急速大量生産を要する現実に鑑みて生産性が低く、原価上昇の要因となる。そこで前記原価上昇の問題を解決するために、実際のメーカーなどは便法で８５℃〜９０℃以上の温度で加熱して５時間〜６時間内に１周期を仕上げている。しかしながら、実際にこのように養生する場合、セメントの初期凝結に所要される時間よりも短時間にコンクリートが高温の蒸気に露出されるので、未水化セメントが量産されてコンクリート製品の品質が低下するという問題があった。
【００１１】
また、最高温度が８５℃〜９０℃以上となることによって、セメントに水化物の空極構造が生成されて凍結溶解に対して脆弱化し、急激な温度変化による熱膨張と収縮による変形などで微細亀裂が内部に過剰に形成されるという問題があった。このように、内部に微細亀裂が発生すると、コンクリート製品は水分が多い土壌上に設ける時に凍結溶解の被害を発生し易くなり、コンクリート製品の寿命が７年〜８年程度に極めて短くなるという問題があった。
【００１２】
このように寿命が短くなる場合、再設置のためのに新たな費用を要することは勿論、廃棄物処理や再設置のための材料（骨材、セメント）を求める目的で国土環境の毀損をも発生するおそれがあった。
【００１３】
【特許文献１】
特開２００１−３２２８４４号公報、（０００２）〜（０００３）段落
【００１４】
【発明が解決しようとする課題】
本発明は、上記従来技術の問題点を解決するためのもので、打設されたコンクリートに養生温度履歴記録装置を埋め込んで蒸気養生の全過程に対する温度及び時間の履歴を記録すると共にその記録した情報を検査者に知らせることでコンクリート製品の品質管理を可能とするコンクリート製品の養生温度履歴記録装置を提供することが目的である。
【００１５】
【課題を解決するための手段】
上記目的を達成するための本発明によるコンクリート製品の養生温度履歴記録装置は、上部が開口された収納室が備えられ、その片側壁の下部にホールが形成され、その他の側壁に磁石が設けられており、前記収納室にカプセルが収納される時に前記カプセルを作動させると共に、養生されるコンクリートの片側に埋入される場合に前記カプセルの主要部品を保護する四角ボックス型のソケットと、前記ソケットの収納室に収納され前記ソケットの磁石によりスイッチがオンになって作動し、養生するコンクリートの片側へ埋入された状態においてその内部の基板に設けられた制御部によってコンクリート養生温度を感知し、又はコンクリート養生時に光が入ってくることを感知してユーザーに知らせると共に、各種情報を記録する四角ボックス型のカプセルとからなることを特徴とする。
【００１６】
【発明の実施の形態】
以下、添付の図面を参照して本発明を更に詳細に説明する。
【００１７】
図４は、本発明によるコンクリート製品の養生温度履歴記録装置５００に通信端末機３００が連結された状態を示す斜視図である。
【００１８】
図４に示すように、本発明によるコンクリート製品の養生温度履歴記録装置５００は、上部が開口された収納室（図示せず）が備えられ、その片側壁１０４の下部にホール１０６が形成され、その他側壁１０４に磁石が設けられて前記収納室に後述するカプセルが収納される時に前記カプセルを作動させると共に、蒸気養生されるコンクリートの片側に埋入される時に前記カプセル２００の主要部品を保護する役目を果たす四角ボックス型のソケット１００と、前記ソケット１００の収納室に収納され、前記ソケット１００の磁石１０８によりスイッチがオンになって作動され、蒸気養生されるコンクリートの片側に埋入される時、その内部の基板（図示せず）に設けられた制御部によってコンクリートの養生温度を感知し、又はコンクリートの養生時に光が入ってくることを感知してユーザーに知らせると共に、各種情報を記録する四角ボックス型のカプセル２００とからなる。尚、前記コンクリート製品の養生温度履歴記録装置５００は記録された各種情報をユーザーにディスプレイできるように通信端末機３００と連結する。
【００１９】
このように構成されたコンクリート製品の養生温度履歴記録装置５００を、図５を参照して更に詳しく説明する。
【００２０】
図５は本発明によるコンクリート製品の養生温度履歴記録装置５００の要部を分解した図であり、図６ａは図５に示したカプセル２００の平面図、図６ｂは同正面図、図６ｃは同側面図をそれぞれ示している。また、図７ａは図５に示したソケット１００の正面図、図７ｂは同右側面図、図７ｃは同左側面図をそれぞれ示している。
【００２１】
図５又は図６ａ〜６ｃに示すように、前記カプセル２００は、該カプセルの上部に設けられると共に、ソケット１００の収納室１０２に収納される時、前記ソケット１００の磁石１０８によりスイッチがオンになって制御部（図示せず）の制御によって多様な光（赤色、緑色、赤色点滅）をディスプレイする状態表示部２０２と、前記状態表示部２０２の片側面に設けられると共にコンクリートの養生の時、初期設定時間（例えば、１０分）間隔でコンクリートの養生温度を感知し、感知した温度を制御部に記録する温度センシング部２０４と、前記カプセルの片側壁２０６の下部に設けられると共に養生温度測定の開示後６時間内にコンクリート内部に光が入ってくるかどうかを感知する光感知センシング部２０８と、前記状態表示部の他側面に設けられると共にコンクリート養生の時、制御部に記録された各種情報をユーザーにディスプレイする通信端末機のポートと連結して前記通信端末機に情報を伝送する通信ポート２１０と、コンクリートの片側に埋入される場合、前記通信ポート２１０をコンクリートから保護する保護ゴムキャップ２１２と、後述する第１固定部１１０の収納室１１２に着脱自在に収納されると共に前記保護ゴムキャップ２１２を保護する第１カバー２１４と、後に述べる第２固定部（図示せず）の収納室に着脱自在に収納されると共に前記状態表示部２０２と温度センシング部２０４の背面に設けられてカプセルを保護する第２カバー２１６と、カプセル２００を容易に脱着移動させることができる取っ手２１８とからなる。
【００２２】
また、図５又は図７ａ〜図７ｃに示すように、前記ソケット１００は、カプセルを収納する収納室１０２と、前記カプセル２００が収納室に収納される時、前記カプセルの内部に設けられた基板上のカプセル駆動スイッチをスイッチオンにして前記カプセルを作動させる磁石１０８と、ソケット１００の片側１０４の外周面に設けられると共に前記カプセルの第１カバー２１４を収納室１１２に収納させて固定させる第１固定部１１０と、ソケットの他側壁１０４の外周面に設けられると共に前記カプセルの第２カバーを収納室に収納して固定する第２固定部１１４とからなる。
【００２３】
なお、前記カプセル２００は内部に設けられた印刷回路基板の制御部によって動作する。以下、前記印刷回路基板の回路構成について説明する。
【００２４】
図８は、図５に示したカプセル２００の内部に設けられる印刷回路基板の回路図である。図８に示すようにこの回路は、ソケット１００の収納室１０２にカプセル２００が収納されるとき、磁石によりスイッチオンになって制御部４００に動作電源を供給させるカプセル駆動スイッチＳＷ１と、前記カプセル駆動スイッチＳＷ１のスイッチがオンになることによってバッテリーから動作電源を供給されて印刷回路基板上の各種部品を制御すると共に前記各種部品から各種情報を記録させる制御部４００と、前記制御部４００から制御信号を印加されて多様な光（赤色、緑色、赤色点滅）をユーザーにディスプレイする状態表示部２０２と、前記制御部４００の制御信号によってコンクリートの養生時に一定時間の間隔でコンクリートの養生の温度を感知し、感知された温度を制御部４００に伝送する温度センシング部２０４と、非同期に作動し、一定時間の単位に制御部４００をスリップモードから覚まして時間を維持させると共に動作電源を節約する発振器Ｙ１と、前記制御部４００からの制御信号を印加されて養生の温度測定開始の後一定時間内にコンクリートの内部に光が入るかどうかを感知する光感知センシング部２０８と、前記制御部に記録された各種情報をユーザーにディスプレイする通信端末機３００のポートと連結して前記通信端末機３００に情報を伝送する通信ポート２１０とからなる。
【００２５】
ここで、前記状態表示部２０２は、制御部４００の制御によって前記カプセル２００がソケット１００の収納室１０２に収納される時に赤色で点滅する。
【００２６】
また、前記状態表示部２０２は、制御部４００の制御によって温度センシング部２０４がコンクリートの養生の温度を測定する場合に緑色で発光し、また、  前記状態表示部２０２は、制御部４００の制御によってバッテリーの容量が足りない場合に赤色で点滅する。
【００２７】
なお、前記制御部４００は、温度測定開始の後に初期設定時間（例えば、６時間）以内に前記光感知センシング部２０８が光を感知すると、感知した時間以前の全データを削除する。また、前記制御部４００は、光感知センシング部２０８が初期設定時間（例えば、６時間）の間、継続して光を感知すると、養生の意思がないものと見なしてプログラムを初期化する。
【００２８】
このように構成されたコンクリート製品の養生温度履歴記録装置５００の組立過程を簡単に説明する。先ず、各種部品が組み立てられたカプセル２００の通信ポート２１０を介して内部のカプセル駆動バッテリーを充填する。また、前記カプセル２００の通信ポート２１０を保護するために、保護ゴムキャップ２１２を設ける。その後、ソケット１００の収納室１０２に前記カプセル２００を収納すると共に、前記カプセル２００の離脱を防止するために第１カバー２１４を第１固定部１１０の収納室１１２に挿入して固定し、第２カバー２１６を第２固定部１１４の収納室（図示せず）に挿入して固定させる。
【００２９】
この時、カプセル２００はソケットの磁石１０８によりスイッチングオンになる。従って、カプセル２００の状態表示部２０２は、制御部４００の制御によって前記カプセル２００が正常的に動作していることを知らせる赤色又は緑色で発光する。
【００３０】
このように組み立てられたコンクリート製品の養生温度履歴記録装置５００の動作を説明すると次の通りである。
【００３１】
先ず、図９に示すように会社名、工場名、固有コード、養生日付、養生時間、使用回数、検収日などの多様な情報が設定されたカプセル２００を、ソケット１００の収納室に収納して養生するコンクリート（例えばベンチフルム）１０の片側の内部に埋入する。
【００３２】
これによって、温度センシング部２０４は前記制御部４００の制御信号によってコンクリート１０の養生温度を感知（例えば、１０分間隔で１２０時間コンクリートの養生温度を感知できるように初期に設定）する。この時、前記温度センシング部２０４に感知された温度は制御部４００に伝送される。また、前記制御部４００は伝送されたコンクリート１０の養生温度を記録する。
【００３３】
特に、温度センシング部２０４がコンクリート１０の養生温度を測定する場合にカプセル２００をソケット１００に収納すると、前記状態表示部２０２は制御部４００の制御によって緑色で発光する。もし、温度センシング部２０４がコンクリートの養生温度を測定する場合に前記状態表示部２０２が赤色で発光し続けると、前記コンクリート製品の養生温度履歴記録装置に異常があると見なす。
【００３４】
従って、前記制御部４００は所定設定時間（１０分間隔で１２０時間）測定されたコンクリート養生の温度を図１０に示すように記録する。また、コンクリート養生の温度測定時間が一定時間（約１０分）経過すると、発振機Ｙ１が動作して動作電源を節約できるようにスリップモードに入る。
【００３５】
尚、光感知センシング部２０８は前記制御部４００の制御信号によってコンクリート養生の測定開始後、初期設定時間（例えば、６時間）内にコンクリート内部に光が入ってくるかどうかを感知する。この時、前記感知光センシング部２０８が光を感知すると、前記制御部４００は感知された時間以前の全データを削除する。
【００３６】
また、６時間の間、引き続いて前記光感知センシング部２０８に光が感知されると、前記制御部４００はコンクリート養生の意思がないものと見なしてプログラムを初期化する。もし、前記光感知センシング部２０８に光が感知されないと、前記制御部４００は図１０に示すようにコンクリート養生が正常になっていると見なす。
【００３７】
尚、前記制御部４００はバッテリーの容量を感知し、バッテリーの容量が足りないと、前記状態表示部２０２は赤色を点滅する。また、ユーザーがコンクリート製品の養生温度履歴記録装置５００の制御部４００に記録された各種情報を見ようとする場合、カプセル２００の通信ポート２１０に通信端末機３００のポートを連結する。これによって前記通信端末機３００に、制御部４００に記録されている各種情報がディスプレイされ、養生の温度、時間を記録して出力する場合、記録されたデータは図１０の点線データのように時間と温度が連動して示される。
【００３８】
従って、コンクリート製品の購買者の立場では露天積み場で保管してある製品のうち、無作為の一部又は全部について通信端末機３００を用いて各々のコンクリート製品１０に挿入された養生温度時間制御部４００の記録を読み取ると、養生の条件に満足するように養生したかどうかを検査できる。
【００３９】
これによって一つ一つ養生条件をチェックしなくても養生条件を満たしているかどうかを検査できる。以上本発明の好適な一実施態様について説明したが、前記実施態様に限定されず、本発明の技術思想に基づいて種々の変形が可能である。
【００４０】
【発明の効果】
以上説明したように、本発明のコンクリート製品の養生温度履歴記録装置によると、次のような効果がある。コンクリート製品の養生中に、コンクリートの一部にコンクリート製品の養生温度履歴記録装置を設置して外部から通信端末機で温度及び時間を検出検査することで、購買者がいちいち工場に常駐して養生条件を満たしているかをチェックする必要がなく、人件費が節約できるという効果がある。
【００４１】
特に養生条件を厳しく守る効果を提供することでコンクリート製品の品質が向上し、短期間の急速養生による構造物の寿命が１０年未満から３０年以上に増大して、長期的に構造物を補修したり再設置するなどの設置費用を大きく節減できる。
【図面の簡単な説明】
【図１】一般的な蒸気養生のコンクリート製品を生産する過程を示すフローチャートである。
【図２】図１の過程により生産されるコンクリート製品の一例であるベンチフルムを示す斜視図である。
【図３】図２のベンチフルムを生産する際に用いられる成形モルド（鋳型）を示す斜視図である。
【図４】本発明によるコンクリート製品の養生温度履歴記録装置に通信端末機が連結された状態を示す斜視図である。
【図５】本発明によるコンクリート製品の養生温度履歴記録装置の要部を示す分解斜視図である。
【図６】図５に示したカプセルの詳細を示す図であって、図６ａはその平面図を、図６ｂはその正面図を、図６ｃはその側面図をそれぞれ示している。
【図７】図５に示したソケットの詳細を示す図であって、図７ａはその正面図を、図７ｂはその右側面図を、図７ｃはその左側面図をそれぞれ示している。
【図８】図５に示したカプセル内部に設けられる印刷回路基板の回路図である。
【図９】本発明によるコンクリート製品の養生温度履歴記録装置がコンクリート製品の片側に打設された状態を示す斜視図である。
【図１０】本発明によるコンクリート製品の養生温度履歴記録装置で養生温度の理想的な温度履歴と既存の慣行的な養生温度履歴とを比較して示すグラフ図である。
【符号の説明】
１００  ソケット
１０２  収納室
１０４  側壁
１０６  ホール
１０８  磁石
２００  カプセル
２０２  状態表示部
２０４  温度センシング部
２０６  側壁
２０８  光感知センシング部
２１０  通信ポート
３００  通信端末機
４００  制御部
５００  養生温度履歴記録装置
【図１】
2005003661.tif 000003
【図２】
2005003661.tif 000004
【図３】
2005003661.tif 000005
【図４】
2005003661.tif 000006
【図５】
2005003661.tif 000007
【図６】
2005003661.tif 000008
【図７】
2005003661.tif 000009
【図８】
2005003661.tif 000010
【図９】
2005003661.tif 000011
【図１０】
2005003661.tif 000012